【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
木造建築の小屋組部材の主幹部材と垂直部材を金具で接合する接合金具において、前記金具は梯形のプレートの両端の内側に直交して水平に釘孔を有する係止板を備え、前記梯形のプレートの内側の中心に直交して突設する接合板を設け、前記梯形のプレートが前記主幹部材の側面に接する部分と、前記垂直部材の側面に接する部分に複数の釘孔を設け、前記垂直部材の下部に接合板が嵌設する係合溝を備えたことを特徴とする木造建築の小屋組部材の接合金具。
【請求項２】
前記梯形のプレートの複数の釘孔から前記主幹部材の上部の側面に釘を打ち込んで固定し、前記梯形のプレートの両端の係止板の釘孔から前記主幹部材の上面に釘を打ち込んで固定し、前記主幹部材の上面に立設した前記垂直部材の係合溝に前記接合板を嵌設し、前記梯形のプレートの複数の釘孔から前記垂直部材の側面に釘を打ち込んで固定し、前記主幹部材と前記垂直部材を前記接合金具で接合したことを特徴とする請求項1に記載の木造建築の小屋組部材の接合金具の接合方法。
【請求項３】
木造建築の小屋組部材の母屋と垂直部材を金具で接合する接合金具において、前記金具は枠を正方形に形成して枠体を構成し、該枠体の枠の対向する双方の枠を上方に延設して突縁を設け、該突縁が対向する双方の内側面に突縁に直交した中心の下部に断面が正方形の位置決め桟を備え、前記母屋の下部に母屋に直交して通り芯に合わせた切欠を設け、前記枠体の各面に複数の釘孔を設け、前記枠体の突縁が対向する双方の突縁の面に複数の釘孔を設けたことを特徴とする木造建築の小屋組部材の接合金具。
【請求項４】
前記垂直部材の上端に前記枠体を被せて枠体の複数の釘孔から垂直部材の各面に釘を打ち込んで固定し、前記突縁が対向する双方の突縁の間に前記母屋を落とし込み、該母屋の下部に設けた切欠を前記位置決め桟に嵌合し、前記突縁が対向する双方の突縁の釘穴から前記母屋の両側面に釘を打ち込んで固定し、前記母屋と前記垂直部材を前記接合金具で接合したことを特徴とする請求項3に記載の木造建築の小屋組部材の接合金具の接合方法。
【請求項５】
木造建築の小屋組部材の複数の母屋を連結する部分と垂直部材を金具で接合する接合金具において、前記金具は枠を正方形に形成して枠体を構成し、該枠体の枠が対向する二面の枠の上端に横長のプレートを設け、該横長のプレートが対向する双方の内側面に横長のプレートに直交して中心の下部に前記通り芯に合わせて断面が正方形の位置決め桟を備え、連結する前記母屋の双方の先端の下部を前記位置決め桟の幅の1/2を切欠し、前記枠体の各面に複数の釘孔を設け、前記横長のプレートの対向する双方の側面に複数の釘孔を設けたことを特徴とする木造建築の小屋組部材の接合金具。
【請求項６】
前記接合金具の前記枠体を前記垂直部材の上端に被せ、該垂直部材の各面に前記枠体の各面の複数の釘孔から釘を打ち込んで固定し、前記横長のプレートが対向する双方の横長のプレートの間に連結する前記母屋を落とし込み、連結する双方の母屋の先端の切欠を前記位置決め桟に嵌合し、該横長のプレートの双方の複数の釘孔から連結する双方の前記母屋の側面に釘を打ち込んで固定し、連結する前記母屋と前記垂直部材を前記接合金具で接合したことを特徴とする請求項5に記載の木造建築の小屋組部材の接合金具の接合方法。
【手続補正２】
【補正対象書類名】明細書
【補正対象項目名】０００５
【補正方法】変更
【補正の内容】
【0005】
【課題を解決するための手段】
上記目的を達成するために、この発明は、木造建築の小屋組部材の主幹部材と垂直部材を金具で接合する接合金具において、前記金具は梯形のプレートの両端の内側に直交して水平に釘孔を有する係止板を備え、前記梯形のプレートの内側の中心に直交して突設する接合板を設け、前記梯形のプレートが前記主幹部材の側面に接する部分と、前記垂直部材の側面に接する部分に複数の釘孔を設け、前記垂直部材の下部に接合板が嵌設する係合溝を備えたことを特徴とする。
そして、前記梯形のプレートの複数の釘孔から前記主幹部材の上部の側面に釘を打ち込んで固定し、前記梯形のプレートの両端の係止板の釘孔から前記主幹部材の上面に釘を打ち込んで固定し、前記主幹部材の上面に立設した前記垂直部材の係合溝に前記接合板を嵌設し、前記梯形のプレートの複数の釘孔から前記垂直部材の側面に釘を打ち込んで固定し、前記主幹部材と前記垂直部材を前記接合金具で接合したことを特徴とする。接合部材の当接部分のそれぞれの断面欠損をなくしたので接合部分の脆さがなくなり頑丈な構造体となる。そして、前記主幹部材の上面に立設した前記垂直部材の垂直度が、前記梯形のプレートの接合板に前記垂直部材の係合溝を嵌合したことで自動的に垂直部材を垂直に固定することができる。
【手続補正３】
【補正対象書類名】明細書
【補正対象項目名】０００６
【補正方法】変更
【補正の内容】
【０００６】
木造建築の小屋組部材の母屋と垂直部材を金具で接合する接合金具において、前記金具は枠を正方形に形成して枠体を構成し、該枠体の枠の対向する双方の枠を上方に延設して突縁を設け、該突縁が対向する双方の内側面に突縁に直交して中心の下部に断面が正方形の位置決め桟を備え、前記母屋の下部に母屋に直交して通り芯に合わせた切欠を設け、前記枠体の各面に複数の釘孔を設け、前記枠体の突縁が対向する双方の突縁の面に複数の釘孔を設けたことを特徴とする。
そして、前記垂直部材の上端に前記枠体を被せて枠体の複数の釘孔から垂直部材の各面に釘を打ち込んで固定し、前記突縁が対向する双方の突縁の間に前記母屋を落とし込み、該母屋の下部に設けた切欠を前記位置決め桟に嵌合し、前記突縁が対向する双方の突縁の釘穴から前記母屋の両側面に釘を打ち込んで固定し、前記母屋と前記垂直部材を前記接合金具で接合したことを特徴とする。接合部材の当接部分のそれぞれに断面欠損がないので脆さがなくなり頑丈な小屋組構造が構成された。
【手続補正４】
【補正対象書類名】明細書
【補正対象項目名】０００７
【補正方法】変更
【補正の内容】
【０００７】
木造建築の小屋組部材の複数の母屋を連結する部分と垂直部材を金具で接合する接合金具において、前記金具は枠を正方形に形成して枠体を構成し、該枠体の枠が対向する二面の枠の上端に横長のプレートを設け、該横長のプレートが対向する双方の内側面に横長のプレートに直交して中央の下部に前記通り芯に合わせて断面が正方形の位置決め桟を備え、連結する前記母屋の双方の先端の下部を前記位置決め桟の幅の1/2を切欠し、前記枠体の各面に複数の釘孔を設け、前記横長のプレートの対向する双方の側面に複数の釘孔を設けたことを特徴とする。
そして、前記接合金具の前記枠体を前記垂直部材の上端に被せ、該垂直部材の各面に前記枠体の各面の複数の釘孔から釘を打ち込んで固定し、前記横長のプレートが対向する双方の横長のプレートの間に連結する前記母屋を落とし込み、連結する双方の母屋の先端の切欠を前記位置決め桟に嵌合し、該横長のプレートの双方の複数の釘孔から連結する双方の前記母屋の側面に釘を打ち込んで固定し、連結する前記母屋と前記垂直部材を前記接合金具で接合したことを特徴とする。連結する前記母屋と前記垂直部材を金具で接合したことで、双方の母屋の連結部分と連結する母屋と垂直部材が当接する部分の断面欠損がないので脆さがなくなり頑丈な小屋組構造が構成された。
【手続補正５】
【補正対象書類名】明細書
【補正対象項目名】００１６
【補正方法】変更
【補正の内容】
【0016】
【発明の効果】
以上説明したように、本発明に係る木造建築の小屋組部材の接合金具では、梯形のプレートの両端に釘孔を有する係止板を備え、梯形のプレートが主幹部材の側面に接する面に複数の釘孔を設け、梯形のプレートの内側に梯形のプレートに直交して接合板を設け、梯形のプレートが垂直部材の下部に接する面に複数の釘孔を設ける。そして、木造建築の小屋組部材の接合金具の接合方法では、梯形のプレートが主幹部材に接する面に複数の釘を打ち込み、梯形プレートの両端の係止板から主幹部材の上面に釘を打ち込んで主幹部材に梯形のプレートを固定する。また、主幹部材の上面に垂直部材を立設し、梯形のプレートの接合板に垂直部材の係合溝を嵌合し、梯形のプレートが垂直部材に接する面に複数の釘を打ち込んで梯形のプレートと垂直部材を固定して主幹部材と垂直部材の下端を接合する。木製である主幹部材と垂直部材の双方の接合部分を切欠をしないで金具で接合することで構造強度が高まり、主幹部材の上面に立設した垂直部材の係合溝に、梯形のプレートの接合板を嵌合することで高所作業での垂直部材の目測での垂直判定の困難から開放されるという効果が有る。
【手続補正６】
【補正対象書類名】明細書
【補正対象項目名】００１７
【補正方法】変更
【補正の内容】
【００１７】
また、木造建築の小屋組部材の接合金具では、垂直部材の上端と母屋を接合する接合金具で、枠体の対向する二面の枠を上方に延設して対向する突縁を設け、対向する突縁の内側に突縁に直交して位置決め桟を備え、枠体の枠の正方形の各面と垂直部材の各面が接する面に複数の釘孔を設け、枠体の突縁が対向する面が母屋の側面に接する面に複数の釘孔を設ける。そして、枠体の正方形の枠を垂直部材の上端に被せ、枠体の各面の複数の釘孔から垂直部材の各面に釘を打ち込んで垂直部材の上端に枠体を固定し、枠体の対向する両突縁の内側に母屋を落とし込み、対向する両突縁の内側に突縁に直交して通り芯に合わせて位置め桟を設けた位置決め桟に母屋の下部の切欠を嵌合し、同時に母屋を通り芯に合わせて母屋の位置を決め、対向する両突縁の釘孔から母屋の側面に釘を打ち込んで枠体の両突縁と母屋を固定し、母屋と垂直部材の当接部分に切欠を設けないで母屋の位置を確定し、接合部分を金具で接合することで構造強度が高まり、最も風当たりが強い屋根を支える部材の強度を充分に発揮できるという効果がある。
【手続補正７】
【補正対象書類名】明細書
【補正対象項目名】００１８
【補正方法】変更
【補正の内容】
【００１８】
また、木造建築の小屋組部材の接合金具では、垂直部材と連結する母屋（継ぎ目部分）の接合金具で、枠を正方形に形成して枠体を構成し、枠の対向する二面の上端に対向する横長のプレートを設け、対向する横長のプレートの内側にプレートに直交して位置決め桟を備え、枠体の枠の正方形の各面と垂直部材の各面が接する面に複数の釘孔を設け、横長のプレートが対向する面が複数の母屋の側面と接する面に複数の釘孔を設けたものである。そして、枠体の正方形の枠を垂直部材の上端に被せ、枠体の各面の複数の釘孔から垂直部材の各面に釘を打ち込んで垂直部材の上端に枠体を固定し、対向する横長のプレートの内側に双方の母屋を落とし込み、位置決め桟に双方の母屋の端部の下部を切欠して嵌合し、同時に双方の母屋の端部を通り芯に合わせて母屋の位置を決め、対向する横長のプレートの複数の釘孔から双方の母屋の側面に釘を打ち込んで対向する横長のプレートと双方の母屋を固定し、双方の母屋と垂直部材の接合部分に切欠を設けないで母屋の位置を確定し、接合部分を金具で接合することで構造強度が高まった。